(57)【特許請求の範囲】
【請求項１】
第１電源と結合される伝送線路と結合される伝送線路ドライバ回路であり、前記第１電源は前記伝送線路をバイアスするために使用される、伝送線路ドライバ回路と、
前記伝送線路ドライバ回路と結合され、前記伝送線路ドライバ回路を用いて前記伝送線路上で受信器モジュールへデータを送信するよう構成される送信器回路と、
前記伝送線路ドライバ回路と結合され、前記伝送線路ドライバ回路を通じて前記第１電源から受ける電流をおおよそ一定であるように調整するよう構成される電流レギュレータ回路と、
前記電流レギュレータ回路と結合され、おおよそ一定な電圧を有する第２電源を提供するよう構成される電圧レギュレータ回路であり、前記第２電源は、前記電流レギュレータ回路を通じて前記第１電源から受ける電流を、少なくとも部分的に前記送信器回路に給電するために供給する、電圧レギュレータ回路と
を有する通信インターフェース。
【請求項２】
前記送信器回路の少なくとも一部は、前記電流レギュレータ回路を通じて前記第１電源から受ける前記電流を用いてバイアスをかけられる、請求項１記載の通信インターフェース。
【請求項３】
前記送信器回路は、差動シグナリングプロトコルを用いてデータを送信するよう構成される、請求項１記載の通信インターフェース。
【請求項４】
前記送信器回路は、毎秒１メガビットを超えるデータレートでデータを送信するよう構成される、請求項１記載の通信インターフェース。
【請求項５】
前記送信器回路と前記受信器モジュールとの間における前記伝送線路の長さは９０センチメートルを超える、請求項１記載の通信インターフェース。
【発明の詳細な説明】
【技術分野】
【０００１】
本発明は、概して、電子部品への電力供給の分野に関する。具体的に、本発明は、通信インターフェース用の回路への電力供給に関する。
【背景技術】
【０００２】
典型的なデータ通信システムでは、送信器と受信器との間の伝送線路は、バイアス回路を用いて、意図された電圧にバイアスをかけられている。バイアス回路は、電源と伝送線路との間で電圧降下を生じさせるように電源から電流を引き込むよう構成されてよい。代替的に、バイアス回路は、伝送線路と接地ノード又は電力シンクとの間で電圧降下を生じさせるように電源から電流を引き込むよう構成されてよい。電源から引き込まれる電流は、一般に、データ通信システムで他の目的のためには使用されない。従って、データ通信システムは、電圧バイアスを保つべく電力を消費する。
【発明の概要】
【発明が解決しようとする課題】
【０００３】
データ通信システムで使用されるもの等の電子回路の電力消費を最小限とすることが必要とされている。電子回路の電力消費を最小限とすることによって、エネルギが節約され得る。バッテリから電源供給される電子回路では、電力消費の削減がバッテリ寿命を延ばす。また、電力消費の削減はエネルギ消費を減らしうる。データ通信システムで使用されるもの等の電子回路の電力消費は、他の電子回路に給電するよう構成される電子回路を有するシステムによって、又は他の電子回路により電子回路に給電する方法を用いることによって、最小限にされ得る。
【課題を解決するための手段】
【０００４】
本発明の種々の実施形態は、伝送線路又は伝送線路ドライバ回路でバイアス状態を確立するために最初に使用される電力が、更に、更なる電子回路に給電するためにも使用されることを可能にする。バイアス状態を確立するために最初に用いられた電力を更なる目的のために用いることによって、全体の電力消費は先行技術と比較して削減される。
【０００５】
通信インターフェースは、送信器回路と、少なくとも部分的に前記送信器回路に給電するよう構成される電源とを有して提供される。前記送信器回路は、受信器モジュールへ伝送線路を介してデータを送信するよう構成される。前記電源は、前記受信器モジュールから前記伝送線路を介して受ける電流を用いて少なくとも部分的に前記送信器回路に給電するよう構成される。
【０００６】
電子回路は、電流レギュレータ及び電圧レギュレータを有して提供される。前記電流レギュレータは、おおよそ一定であるよう調整される電流をシンクするよう構成される。前記電圧レギュレータは、電力出力部を有し、該電力出力部の電圧をおおよそ一定であるように調整するよう構成される。前記電圧レギュレータは、前記電流レギュレータによってシンクされる電流を前記電流レギュレータから受け、該電流レギュレータによってシンクされる前記電流を他の電子回路へ前記電力出力部を通じて供給するよう構成される。
【０００７】
電子回路は、伝送線路と結合される伝送線路ドライバ回路を有して提供される。前記伝送線路はインピーダンスを介して第１電源と結合される。当該電子回路は、前記伝送線路ドライバ回路と結合され、該伝送線路ドライバ回路により前記伝送線路を介してデータを送信するよう構成されるデジタルデータ回路を更に有する。このデジタルデータ回路は、第２電源から電力を受けるよう構成される。当該電子回路は、前記伝送線路ドライバ回路と結合され、前記第１電源から前記伝送線路を通じて受けた電流をおおよそ一定であるように調整するよう構成される電流レギュレータ回路を更に有する。当該電子回路は、前記電流レギュレータ回路と結合され、おおよそ一定の電圧を有する第２電源を提供するよう構成される電圧レギュレータ回路を更に有する。前記第２電源は、前記第１電源から前記電流レギュレータ回路を通じて受け取られる電流を少なくとも前記デジタルデータ回路へ供給する。
【０００８】
データ通信のためのシステムは、データ通信送信器回路と、バイアス回路と、電圧レギュレータ回路とを有して提供される。前記データ通信送信器回路は、伝送線路を介してデータを送信するよう構成される。前記バイアス回路は、第１電源からの電流をシンクすることによって、バイアス電圧で前記伝送線路にバイアスをかけるよう構成される。前記電圧レギュレータ回路は、前記バイアス回路と結合され、第２電源でおおよそ一定の電圧を調整するよう構成される。前記第２電源は前記データ通信送信器回路に結合される。前記電圧レギュレータ回路は、更に、前記バイアス回路によってシンクされる電流を前記第１電源から前記データ通信送信器回路へ前記第２電源を介して供給するよう構成される。
【０００９】
通信インターフェースのための回路に給電する方法は、バイアス回路により伝送線路にバイアスをかけるステップと、第１電源から前記バイアス回路を通じて電流をシンクするステップと、第２電源の電圧をおおよそ一定であるよう調整するステップを有して提供される。前記バイアス回路は、前記伝送線路と結合され、前記第１電源から電流を引き込むよう構成される。前記第２電源は、通信インターフェースのための回路に給電するよう構成される。電流は、前記通信インターフェースのための回路へ前記第２電源を介して供給されるよう前記第１電源からシンクされる。
【図面の簡単な説明】
【００１０】
【図１】通信インターフェースを表すブロック図である。
【図２】通信インターフェース回路を表す概略図である。
【図３】伝送線路及び／又はドライバ回路にバイアスをかけることから電流を再利用して通信送信器に給電するよう構成される通信インターフェースの例を表すブロック図である。
【図４】伝送線路及び／又はドライバ回路にバイアスをかけることから電流を再利用して通信送信器に給電するよう構成される通信インターフェースの代替実施例を表すブロック図である。
【図５】伝送線路バイアス回路から電流を再利用して通信送信器回路に給電するよう構成される通信インターフェース回路を表す概略図である。
【図６】第２電源として回路バイアス電流を再利用するよう構成される回路の例を表す概略図である。
【図７】伝送線路バイアス回路から電流を再利用して通信送信器回路に給電するよう構成されるＤＣ結合通信インターフェース回路を表すブロック図である。
【図８】伝送線路バイアス回路から電流を再利用して通信送信器回路に給電するよう構成されるＡＣ結合通信インターフェース回路を表すブロック図である。
【図９】通信インターフェースのための回路に給電する方法の例のフローチャートである。
【発明を実施するための形態】
【００１１】
本発明は、種々の実施形態において、データ通信インターフェースへの電力供給のシステム及び方法を含む。通信インターフェースは、伝送線路の一端にある送信器モジュール入力ポートで提供されるデジタルデータを伝達するよう構成され、これにより、デジタルデータは、伝送線路の他端にある受信器モジュール出力ポートで出力される。デジタルデータは、ビデオディスプレイでの表示及び／又はオーディオ増幅器による音声再生のために送信されてよい。通信インターフェースは、デジタルデータを伝達する間能動電子素子及び受動電子素子に電流が流れることで電力を消費する電気回路を有しうる。通信インターフェースは、高解像度マルチメディアインターフェース（ＨＤＭＩ（High-Definition  Multimedia  Interface））伝送システム、デジタルビジュアルインターフェース（ＤＶＩ（Digital  Visual  Interface））伝送システム、ディスプレイポート（ＤｉｓｐｌａｙＰｏｒｔ）伝送システム等を代表してよい。例えば、送信器入力ポートは、デジタルバーサトルディスク（ＤＶＤ（Digital  Versatile  Disc））プレーヤー等のオーディオ／ビジュアルソース内の電子回路と結合されてよく、受信器出力ポートは、高解像度テレビ（ＨＤＴＶ）セット等のオーディオ／ビジュアル表示ユニット内の電子回路と結合されてよい。
【００１２】
ここで記載されるシステム及び方法の種々の実施形態は、ＨＤＭＩ送受信機、ＤＶＩ送受信機、及びＤｉｓｐｌａｙＰｏｒｔ送受信機において使用されてよい。かかる実施形態は、これらのシステムがより低い総ワット損、より長いバッテリ寿命、縮減された冷却要求、及びより小さいフォームファクタを有することを可能にする。データレートの増大は、一般的に、ワット損の増大に付随して起こるので、より低いワット損は、伝送データレートが増大するにつれて、ますます重要となる。例えば、実施形態は、毎秒約１メガビット（Ｍｂｐｓ）、１０Ｍｂｐｓ、１００Ｍｂｐｓ、２５０Ｍｂｐｓ、５００Ｍｂｐｓ、毎秒１ギガビット（Ｇｂｐｓ）、１．５Ｇｂｐｓ、１．６２Ｇｂｐｓ、１．６５Ｇｂｐｓ、２Ｇｂｐｓ、２．２Ｇｂｐｓ、２．７Ｇｂｐｓ、３．４Ｇｂｐｓ、４．４６Ｇｂｐｓ、４．９５Ｇｂｐｓ、１０Ｇｂｐｓ、１０．２Ｇｂｐｓ、１０．８Ｇｂｐｓ、又はそれ以上に等しいか又はそれより大きい伝送データレートを有するシステムで使用されてよい。デジタルデータは、送信器モジュールと受信器モジュールとの間のケーブルの長さ範囲内に少なくとも部分的に組み込まれている伝送線路を介して送信されてよい。ケーブルの長さは、約１０センチメートル（ｃｍ）、９０ｃｍ、１５０ｃｍ、２５０ｃｍ、３００ｃｍ、５００ｃｍ、６００ｃｍ、７５０ｃｍ、９００ｃｍ、１０メートル（ｍ）、又は１２ｍより長くてよい。
【００１３】
本発明の実施形態に係る応用には、携帯電話、音楽プレーヤー（例えば、ＭＰ３プレーヤー）、ビデオプレーヤー（例えば、ＭＰ４プレーヤー）、手持ち式コンピュータ及びＰＤＡのゲームコンソール等の携帯型メディアプレーヤー、手持ち式電子ゲーム、並びに携帯型メモリ記憶装置（例えば、ＵＳＢタブドライブ又はジャンプドライブ）を含む（がそれらに限定されない）携帯型電子機器がある。本発明の実施形態を含む電子回路は、また、ＤＶＤプレーヤー、ブルーレイビデオプレーヤー、ＨＤ−ＤＶＤプレーヤー、パーソナルビデオレコーダ及びデジタルビデオレコーダ、デジタル静止カメラ、ビデオカメラ等のオーディオ／ビジュアルエンターテイメントシステムにおいて使用されてよい。また、かかる電子回路を有しうる他の装置には、パーソナルコンピュータ、ラップトップコンピュータ、コンピュータネットワーク設備、データ通信設備、及び電話通信設備がある。また、かかる実施形態は、ここに挙げられていない多くの装置で使用されてよい。
【００１４】
データ通信インターフェースは、データ通信送信器回路とデータ通信受信器回路との間の伝送線路で所定電圧（すなわち、バイアス点）を確立するために最初に用いられる電流を用いて電力供給をされる送信器回路を有してよい。バイアス回路は、データ通信送信器回路及び／又はデータ通信受信器回路が特定の所望パラメータの範囲内で動作するように、データ通信送信器回路及び／又はデータ通信受信器回路のための適切な動作点を設定するために使用されてよい。バイアス回路は、また、データ通信送信器回路及び／又はデータ通信受信器回路との間の伝送線路を通る所定電流を確立するためにも使用されてよい。
【００１５】
幾つかの実施形態で、バイアス回路から送信器モジュールへ供給される電流は、データ通信送信器回路に給電するために再利用される。結果として、データ通信送信器回路は、先行技術に比べて全体として少ない電力で動作することができる。例えば、電力の再利用がなければ、送信器モジュール及び関連する回路は、ＨＤＭＩ標準規格に従って７２０ｐ又は１０８０ｉ解像度でビデオデータを送信する間、約３００ミリワット（ｍＷ）の電力を消費しうる。他方で、本発明の実施形態を有するＨＤＭＩ送信器モジュールは、７２０ｐ又は１０８０ｉ解像度でビデオデータを送信する間、５０ｍＷより少ない電力しか消費しない。本発明の実施形態を有するＨＤＭＩ送信器モジュールは、１０８０ｐ解像度でビデオデータを送信する間、１００ｍＷより少ない電力しか消費しない。ＨＤＭＩ送信器は、最大で毎秒１億６５００万ピクセル（Ｍｐｉｘｅｌ／ｓｅｃ）までのリンクデータレートをサポートしてよい。より低い電力での動作は、伝送線路にバイアスをかける際に最初に用いられる電流を、データ通信送信器回路に電力を供給するという第２の目的のために再利用することによって達成される。
【００１６】
図１は、通信インターフェース１００を表すブロック図である。通信インターフェース１００は、送信器モジュール１０２と、伝送線路１０４と、受信器モジュール１０６とを有する。送信器モジュール１０２は、伝送線路１０４を介して受信器モジュール１０６へデータを送信するよう構成される。送信器モジュール１０２は、データ回路１０８と、ドライバ回路１１０と、バイアス制御１１２と、電流シンク１１４とを有する。データ回路１０８は、デジタルデータ入力を受け入れ、対応するデータドライバ制御信号をドライバ回路１１０へ送信するよう構成されてよい。データドライバ制御信号は、伝送線路１０４を介してデータを送信するようドライバ回路１１０を制御するよう設定されてよい。ドライバ回路１１０によって送信されるデータは、データ回路１０８が受け取ったデジタルデータ入力に対応してよい。
【００１７】
送信器モジュール１０２は、送信器電源ＶＤＤ２から電流の形で電力を受けてよい。送信器電源ＶＤＤ２は送信器モジュール１０２の外部であってよい。同様に、送信器モジュール１０２は、送信器接地ノードＶＳＳ２と結合されてよい。送信器接地ノードＶＳＳ２は送信器モジュール１０２の外部であってよい。
【００１８】
ドライバ回路１１０は、伝送線路１０４の向こうへデータを送り出すよう構成されてよい。ドライバ回路１１０は、差動シグナリングプロトコルに従って伝送線路１０４の向こうへ駆動電流によりデータ信号を送り出すよう構成される低スイング高速差動ラインドライバを有してよい。送り出されるデータ信号は、データ回路１０８から受信されるデータドライバ制御信号に基づいてよい。駆動電流は、また、特定の電圧範囲で伝送線路１０４にバイアスをかけるためにも使用されてよい。ドライバ回路１１０は、電流シンク１１４へ駆動電流をシンクするよう構成されてよい。駆動電流は、他の目的のために使用されず、それによって不必要に電力は消費されない。
【００１９】
バイアス制御１１２は、ドライバ回路１１０から送信器接地ノードＶＳＳ２へ電流シンク１１４によってシンクされる駆動電流の大きさを制御するよう構成されてよい。電流シンク１１４によってシンクされる駆動電流の大きさを制御することによって、バイアス制御１１２は、また、ドライバ回路１１０及び伝送線路１０４のバイアス状態をも制御することができる。
【００２０】
受信器モジュール１０６は、バイアス電流源１１６と、データ回路１１８とを有する。受信器モジュール１０６は、バイアス電源ＶＤＤ１から電流を受けてよく、また、受信器接地ノードＶＳＳ１と結合されてよい。バイアス電源ＶＤＤ１は、また、ドライバ電源としても知られうる。バイアス電流源１１６は、バイアス電源ＶＤＤ１からドライバ回路１１０へ伝送線路１０４を介して電流を与えるよう構成されてよい。バイアス電源ＶＤＤ１から引き込まれる電流は、伝送線路１０４を介してデータを送信するためにドライバ回路１１０によって使用されてよい。
【００２１】
データ回路１１８は、伝送線路１０４からデータ信号を受信するよう構成されてよい。データ回路１１８は、受信したデータ信号を処理してデータ出力を生成するよう構成されてよい。データ回路１１８は、電流源１１６と同じバイアス電源ＶＤＤ１によって電力供給をされてよい。幾つかの実施形態で、データ回路１１８は、伝送線路１０４を介してドライバ回路１１０とＤＣ結合されてよい。他の実施形態で、データ回路１１８は、伝送線路１０４を介してドライバ回路１１０とＡＣ結合されてよい。
【００２２】
図２は、通信インターフェース回路２００を表す概略図である。通信インターフェース回路２００は、送信器モジュール２０２と、関連する回路２０４と、終端負荷回路２０６とを有する。送信器モジュール２０２は、図１を参照して記載された送信器モジュール１０２の一例である。送信器モジュール２０２は、関連回路２０８、２１０又は２１２のような１又はそれ以上の関連する回路からデータ入力信号、基準クロック信号、及び／又はバイアス入力信号を受信してよい。代替的に、データ入力信号、基準クロック信号、及び／又はバイアス入力信号は、送信器モジュール２０２の外部にある１又はそれ以上の回路から受信されてよい。
【００２３】
関連回路２０４は、関連回路２０８、２１０及び２１２等の様々な電子回路を有してよい。関連回路２０４は、メモリ、デジタル−アナログ変換器（ＤＡＣ）、アナログ−デジタル変換器（ＡＤＣ）、クロック回路等を有してよく、これらは、送信器モジュール２０２と結合され、一体化され、又はそれらとともに使用されてよい。関連回路２０８、２１０及び２１２は、送信器電源ＶＤＤ２から電流を受けるとともに、共通接地と結合されてよい。送信器モジュール２０２及び関連回路２０４は、送信器電源ＶＤＤ２及び共通接地を共有してよい。送信器電源ＶＤＤ２は、送信器モジュール２０２又は関連回路２０４と一体化されていない外部電源によって供給されてよい。種々の実施形態で、送信器電源ＶＤＤ２は約３．３ボルト（Ｖ）又は約１．８Ｖであってよい。共通接地は、図１を参照して記載された送信器接地ノードＶＳＳ２と結合されてよい。
【００２４】
送信器モジュール２０２は、データ回路２０４と、位相ロックループ（ＰＬＬ）２０６と、前置増幅器２１８と、ソース送信器２２０と、バイアス制御２２２とを有する。ＰＬＬ２１６及びデータ回路２１４は合わせて、図１を参照して記載されたデータ回路１０８の一例であってよい。前置増幅器２１８及びソース送信器２２０は合わせて、図１を参照して記載されたドライバ回路１１０の一例であってよい。バイアス制御２２２は、図１を参照して記載されたバイアス制御１１２の一例であってよい。
【００２５】
データ回路２１４は、ＰＬＬ２１６から受信されるデータクロック信号（Ｃｌｏｃｋ）に従ってデータ入力を読み出して処理するよう構成されてよい。ＰＬＬ２１６は、入力基準クロック信号を受信して、データクロック信号をデータ回路２１４へ供給するよう構成されてよい。データクロック信号は入力基準クロック信号に対応してよい。差動シグナリングプロトコルを有する実施例で、データ回路２１４は、差動データ信号Ｄａｔａ＋及びＤａｔａ−を前置増幅器２１８へ供給してよい。差動データ信号は、データ回路２１４によって受信されて処理されるデータ入力信号に対応してよい。差動データ信号は、信号伝送線路ＴＸＮ及びＴＸＰを介して送信される対応するデータ信号を生成するように前置増幅器２１８及びソース送信器２２０を制御するよう設定されてよい。信号伝送線路ＴＸＮ及びＴＸＰは、図１を参照して記載された伝送線路１０４の一例であってよい。
【００２６】
終端負荷回路２０６は、図１を参照して記載されたバイアス電流源１０６の一例であってよい。終端負荷回路２０６は送信器モジュール２０２と一体化されてよい。代替的に、終端負荷回路２０６は、図１を参照して記載された受信器モジュール１０６のような受信器モジュールと一体化されてもよい。終端負荷回路２０６は、信号伝送線路ＴＸＮ及びＴＸＰ及びソース送信器２２０へバイアス電流を供給するよう構成されてよい。終端負荷回路２０６は、信号伝送線路ＴＸＮとバイアス電源ＶＤＤ１との間に接続されている負荷抵抗Ｒ０を有する。終端負荷回路２０６は、また、信号伝送線路ＴＸＰとバイアス電源ＶＤＤ１との間に接続されている負荷抵抗Ｒ１を有する。バイアス電源ＶＤＤ１は、また、ドライバ電源とも呼ばれることがある。バイアス電源ＶＤＤ１は３．３Ｖ電源を有してよい。バイアス電源ＶＤＤ１は、図１を参照して記載された受信器モジュール１０６のような受信器モジュールと関連付けられてよい。バイアス電源ＶＤＤ１は、送信器モジュール及び受信器モジュールと一体化されない外部電源によって供給されてよい。幾つかの実施形態で、バイアス電源ＶＤＤ１は、送信器電源ＶＤＤ２と同じであってよい。
【００２７】
ソース送信器２２０は、ソース同士を接続されている差動ドライバＮＬ０及びＮＬ１を有する。差動ドライバＮＬ０及びＮＬ１は、それらの設計及び／又は性能において、おおよそお互いと一致してよい。差動ドライバＮＬ０のドレインは信号伝送線路ＴＸＮと結合されている。同様に、差動ドライバＮＬ１のドレインは信号伝送線路ＴＸＰと結合されている。差動ドライバＮＬ０は、前置増幅器２１８から差動ドライバＮＬ０のゲートへ入力されるＤａｔａ−駆動信号に従って信号伝送線路ＴＸＮを駆動するよう構成されてよい。同様に、差動ドライバＮＬ１は、前置増幅器２１８から差動ドライバＮＬ１のゲートへ入力されるＤａｔａ＋駆動信号に従って信号伝送線路ＴＸＰを駆動するよう構成されてよい。送信器モジュール２０２は、性能改善のために、信号伝送線路ＴＸＮ及びＴＸＰで送り出されるデータ信号がお互いに相互補完的であるように構成されてよい。
【００２８】
ソース送信器２２０は、差動ドライバＮＬ０及びＮＬ１が、夫々、負荷抵抗Ｒ０及びＲ１のようなインピーダンスを通じてバイアス電源ＶＤＤ１から電流を引き込むように構成されてよい。ソース送信器２２０及び終端負荷回路２０６は、信号伝送線路ＴＸＮでの電圧が受信器へデータを送信するために高電圧と低電圧との間でスイングするように構成されてよい。信号伝送線路ＴＸＰでの電圧は、信号伝送線路ＴＸＮでの電圧スイングに対して相補的に低電圧と高電圧との間でスイングしてよい。信号伝送線路ＴＸＮ及びＴＸＰの高電圧及び低電圧の間の信号スイングは、バイアス電源ＶＤＤ１と接地との間の電圧差より小さい。
【００２９】
送信器モジュール２０２は、データが信号伝送線路ＴＸＮ及びＴＸＰを介して送信される場合に、差動ドライバＮＬ０及びＮＬ１を通じておおよそ一定の駆動電流Ｉｄｒｖを引き込んでよい。次いで、おおよそ一定の駆動電流Ｉｄｒｖは、バイアス素子ＮＢ０の接地接続によって接地へシンクされてよい。バイアス素子ＮＢ０は、バイアス供給素子ＮＳ０から受信されるバイアス制御信号を介して駆動電流Ｉｄｒｖを制御してよい。駆動電流Ｉｄｒｖの値は、信号伝送線路ＴＸＮ及びＴＸＰのバイアス状態を決定してよい。
【００３０】
バイアス制御２２２は、駆動電流Ｉｄｒｖの大きさ、更には結果として、ソース送信器２２０並びに伝送線路ＴＸＮ及びＴＸＰのバイアス状態を制御するよう構成されてよい。バイアス制御２２２は、バイアス入力信号に応答してバイアス供給信号及びバイアスオンスイッチ信号を生成し、これらのバイアス供給信号及びバイアスオンスイッチ信号をバイアス供給素子ＮＳ０へ供給してよい。バイアス供給信号及びバイアスオンスイッチ信号に応答して、バイアス供給素子ＮＳ０はバイアス素子ＮＢ０を制御してよい。言い換えると、バイアス供給素子ＮＳ０は、駆動電流Ｉｄｒｖの大きさ、更には、ソース送信器２２０並びに伝送線路ＴＸＮ及びＴＸＰのバイアス状態を制御する。
【００３１】
このおおよそ一定の駆動電流Ｉｄｒｖは電力を消費する。消費される電力の一部は、差動ドライバＮＬ０及びＮＬ１を切り替えるために用いられ、一方、残りの大部分の電力は、差動ドライバＮＬ０及びＮＬ１のＤＣバイアス状態の確立において消費される。ＤＣバイアス状態は、公称電圧で又はその周囲で信号伝送線路ＴＸＮ及びＴＸＰにバイアスをかけるよう設定されてよい。ＤＣバイアス状態は、また、信号伝送線路ＴＸＮ及びＴＸＰによるデータ伝送全体を通しておおよそ一定の駆動電流Ｉｄｒｖを確立するよう設定されてよい。
【００３２】
相当量の電力は、他の目的のために使用されることなく、ＤＣバイアス状態の確立において消費される。例えば、おおよそ一定の駆動電流Ｉｄｒｖは、名目上、約１０ミリアンペア（ｍＡ）から２４ｍＡの間であってよい。負荷抵抗Ｒ０及びＲ１にわたる信号スイングは、約０．４ボルト（Ｖ）から０．６Ｖの間であってよい。３．３Ｖ電源からの残りの２．７Ｖの電力は、差動ドライバＮＬ０及びＮＬ１のＤＣ状態の確立において消費されうる。
【００３３】
図３は、伝送線路及び／又はドライバ回路にバイアスをかけることから電流を通信送信器に給電するために再利用するよう構成される通信インターフェース３００の例を表すブロック図である。通信インターフェース３００は、送信器モジュール３０２でデジタルデータ入力を受け入れ、デジタルデータの表現を伝送線路１０４を介して受信器モジュール３０４へ送信し、対応するデジタルデータ出力を受信器モジュール３０４で供給するよう構成されてよい。通信インターフェース３００は、例えばＨＤＭＩ１．２のような何らかのＨＤＭＩ標準規格に従ってよい。通信インターフェース３００は、また、いずれかのＤＶＩ標準規格、いずれかのＤｉｓｐｌａｙＰｏｒｔ標準規格、又は何らかの他のビデオインターフェース標準規格に従ってもよい。
【００３４】
通信インターフェース３００は、通信インターフェース３００が、バイアス電流源１１６によって伝送線路１０４を介して供給されるバイアス電源ＶＤＤ１からの電流を再利用することによって送信器モジュール３０２に給電するよう構成される点を除いて、図１に表される通信インターフェース１００と同じである。この電力再利用を達成するよう、通信インターフェース１００の電流シンク１１４は、通信インターフェース３００では電流レギュレータ３０６及び電圧レギュレータ３０８の組合せにより置換されている。
【００３５】
電流レギュレータ３０６及び電圧レギュレータ３０８は、近似バイアス電圧で伝送線路１０４にバイアスをかけるようドライバ回路１１０からの駆動電流を使用してよい。電流レギュレータ３０６は、ドライバ回路１１０を通じて引き込まれる駆動電流をおおよそ一定であるように調整するよう構成されてよい。バイアス制御１１２は、電流レギュレータ３０６と結合され、電流レギュレータ３０６を介して伝送線路１０４のバイアスを制御するよう構成されてよい。
【００３６】
電圧レギュレータ３０８は、電流レギュレータ３０６と結合され、電流レギュレータ３０６から調整された電流を受け取り、調整電力供給出力部ＶＤＤ２ｆｒｏｍＶＲでの電圧Ｖｄｄ２をおおよそ一定であるよう調整し、電流レギュレータ３０６から受ける調整された電流を用いて調整電力供給出力部ＶＤＤ２ｆｒｏｍＶＲを介して電力を供給するよう構成されてよい。バイアス電源ＶＤＤ１での電圧は約３．３Ｖであってよく、一方、調整電力供給出力部ＶＤＤ２ｆｒｏｍＶＲでの調整された電圧は約１．８Ｖであってよい。送信器モジュール３０２の幾つかの電子回路は、少なくとも部分的に、電圧レギュレータ３０８の調整電力供給出力部ＶＤＤ２ｆｒｏｍＶＲによって電力供給をされるよう構成されてよい。
【００３７】
デジタルデータ通信のために構成されているデータ回路１０８はドライバ回路１１０と結合されてよい。データ回路１０８は、デジタルデータ入力に従って伝送線路１０４を介してデータを送信するようにドライバ回路１１０を制御するよう構成されてよい。デジタルデータ通信のために構成されているデータ回路１１８は伝送線路１０４と結合されてよい。データ回路１１８は、伝送線路１０４からデータ信号を受信し、送信データに対応するデータ出力を生成してよい。
【００３８】
幾つかの実施形態で、データ回路１１８は、伝送線路１０４を介してドライバ回路１１０とＤＣ結合されてよい。他の実施形態で、データ回路１１８は、伝送線路１０４を介してドライバ回路１１０とＡＣ結合されてよい。幾つかの実施形態で、データ回路１１８は、バイアス電流源１１６と同じバイアス電源ＶＤＤ１によって電力供給されてよい。
【００３９】
図４は、伝送線路及び／又はドライバ回路にバイアスをかけることから電流を通信送信器に給電するために再利用するよう構成される通信インターフェース４００の代替実施例を表すブロック図である。通信インターフェース４００は、送信器モジュール３０２と、バイアス電流源１１６と、伝送線路１０４と、受信器モジュール４０２とを有する。受信器モジュール４０２はデータ回路１１８を有する。通信インターフェース４００は、バイアス電流源１１６が、図３に表されるように受信器モジュール３０４と同じ側でではなく、送信器モジュール３０２と同じ側でドライバ回路１１０及び伝送線路１０４と結合されてよい点を除いて、図３に表される通信インターフェース３００と同じである。通信インターフェース４００で、バイアス電流源１１６はバイアス電源ＶＤＤ１から電力を受けてよく、データ回路１１８は受信器電源ＶＤＤ３によって給電されてよい。受信器モジュール４０２は、送信器モジュール３０２とＡＣ結合されてよい。
【００４０】
図５は、伝送線路バイアス回路からの電流を通信送信器回路に給電するために再利用するよう構成される通信インターフェース回路５００を表す概略図である。通信インターフェース回路５００は、図２を参照して記載される通信インターフェース回路２００に対する改善である。通信インターフェース回路５００は、システムオンチップ（ＳＯＣ）又はチップオンボード（ＣＯＢ）として実施されてよい。通信インターフェース回路５００は、送信器モジュール５０２と、関連回路５０４と、終端負荷回路２０６と、起動回路５０６と、再利用電源５０８とを有する。伝送線路バイアス回路は少なくとも終端負荷回路２０６を有してよい。
【００４１】
再利用電源５０８は、電流センサ／制御５１０と、任意的な昇圧器５１２と、電圧レギュレータ５１４とを有する。再利用電源５０８は、ソース送信器２２０からの駆動電流Ｉｄｒｖを電流センサ／制御５１０へとシンクし、調整電力供給出力ＶＤＤ２ｆｒｏｍＶＲを電圧レギュレータ５１４から供給するよう構成されてよい。電流センサ／制御５１０は、バイアス供給素子ＮＳ０から受信されるバイアス制御信号に従って電流の大きさを検知して制御するよう構成される素子を有してよい。
【００４２】
調整電力供給出力ＶＤＤ２ｆｒｏｍＶＲは、送信器モジュール５０２及び関連回路５０４の様々な回路に給電するために使用されてよい。例えば、バイアス制御２２０、ＰＬＬ２１６、データ回路２１４、前置増幅器２１８、関連回路２０８、関連回路２１０、及び関連回路２１２は、調整電力供給出力ＶＤＤ２ｆｒｏｍＶＲによって電力供給されてよい。調整電力供給出力ＶＤＤ２ｆｒｏｍＶＲから利用可能な電力が送信器モジュール５０２及び関連回路５０４の様々な回路の全てに給電するには十分でない場合は、付加的な電源が調整電力供給出力ＶＤＤ２ｆｒｏｍＶＲを補うために使用されてよい。
【００４３】
調整電力供給出力ＶＤＤ２ｆｒｏｍＶＲは、バイアス電源ＶＤＤ１から信号伝送線路ＴＸＮ及びＴＸＰでの電圧スイングを引いたものにおおよそ等しい電圧を有してよい。調整電力供給出力ＶＤＤ２ｆｒｏｍＶＲは、最大でおおよそソース送信器２２０からの駆動電流Ｉｄｒｖの値まで電流を供給してよい。幾つかの実施形態で、駆動電流Ｉｄｒｖは、約１０ｍＡから２４ｍＡの間の範囲にあってよい。調整電力供給出力ＶＤＤ２ｆｒｏｍＶＲからの出力電圧が電流センサ／制御５１０の出力部で利用可能な電圧より大きい必要がある実施形態について、再利用電源５０８は、電流センサ／制御５１０の出力部で利用可能な電圧を上回る必要とされるレベルへと出力電圧を高めるよう構成される昇圧器５１２を有してよい。例えば、調整電力供給出力ＶＤＤ２ｆｒｏｍＶＲからの出力電圧が１．８Ｖより大きい必要があり且つ電流センサ／制御５１０の出力部で利用可能な電圧が１．８Ｖしかない場合に、再利用電源５０８は、１．８Ｖを上回る必要とされる電圧へ出力電圧を高めるよう構成される昇圧器５１２を有してよい。
【００４４】
通信インターフェース回路５００は、ＤＣ結合遷移時間最短差動信号伝送方式（ＴＭＤＳ（Transmission  Minimized  Differential  Signaling））データリンクで用いられるもの等の差動シグナリングプロトコルを用いて実施されてよい。ＨＤＭＩ又はＤＶＩリンクはＴＭＤＳデータリンクの一例であってよい。例えば、４つのチャネルは、各チャネルが約１０ｍＡの駆動電流を有して、並列に実施されてよい（図示せず。）。かかる４つのチャネルからバイアス電源ＶＤＤ１から引き込まれる全駆動電流は約４０ｍＡであってよい。バイアス電源ＶＤＤ１は約３．３Ｖの電圧を供給してよい。信号伝送線路ＴＸＮ及びＴＸＰでの電圧は、約０．４Ｖから０．６Ｖの電圧スイングを有するよう差動ドライバＮＬ０及びＮＬ１によって変調されてよい。チャネルごとに約０．６Ｖのスイング及び約１０ｍＡの電流を供給するよう構成される４チャネル通信インターフェース回路について、全ての４つのチャネルについての差動ドライバＮＬ０及びＮＬ１の相互接続されたソースでの駆動電流Ｉｄｒｖは、約４０ｍＡの電流及び約１．８Ｖの電圧を有する電源を提供してよい。この電源は、駆動電流Ｉｄｒｖが、調整電力供給出力ＶＤＤ２ｆｒｏｍＶＲを供給するために再利用電源５０８を介して再利用されることを可能にする。
【００４５】
起動回路５０６は、ソース送信器２２０がおおよそ一定の駆動電流Ｉｄｒｖを供給する前に通信インターフェース回路５００が起動する場合に、再利用電源５０８へ起動電流を供給するよう構成されてよい。送信器モジュール５０２は調整電力供給出力ＶＤＤ２ｆｒｏｍＶＲから電力を受けるよう構成され得るので、差動ドライバＮＬ０及びＮＬ１は、調整電力供給出力ＶＤＤ２ｆｒｏｍＶＲが定常状態動作電圧Ｖｄｄ２に達した後までオフ状態のままであってよい。起動回路５０６は、ソース送信器２２０がおおよそ一定の駆動電流Ｉｄｒｖを供給しない場合に、再利用電源５０８へ起動電流を供給してよい。次いで、再利用電源５０８は、通信インターフェース回路５００が最初に動作を開始する場合に、調整電力供給出力ＶＤＤ２ｆｒｏｍＶＲによって給電されるよう構成される通信インターフェース回路５００の様々な回路へ調整電力供給出力ＶＤＤ２ｆｒｏｍＶＲを供給するために起動電流を使用してよい。起動回路５０６は、伝送線路ＴＸＰと接続点との間に接続される抵抗Ｒ２と、信号伝送線路ＴＸＮと接続点との間に接続される抵抗Ｒ３と、接地と接続点との間に接続される抵抗Ｒ４とを有してよい。ダイオードＤ０は、接続点と電流センサ／制御５１０との間に接続されてよい。
【００４６】
幾つかの実施形態で、終端負荷回路２０６は受信器モジュール（図示せず。）と一体化されてよく、起動回路５０６は送信器モジュール５０２と一体化されてよく、伝送線路ＴＸＮ及びＴＸＰは少なくとも部分的にＨＤＭＩケーブル等のケーブル内に組み込まれてよい。かかる実施形態で、送信器モジュール５０２は、ケーブルが送信器モジュール５０２及び受信器モジュールの両方と結合されていない場合に無給電状態にあってよい。受信器モジュールが電力供給状態にあり、ケーブルが受信器モジュールを送信器モジュール５０２と結合するよう最初に取り付けられる場合に、起動回路５０６は、伝送線路ＴＸＮ及びＴＸＰを介して受信器モジュールから受け取られる電力を用いて送信器モジュール５０２に給電するよう動作してよい。終端負荷回路２０６が伝送線路ＴＸＮ及びＴＸＰを介して送信器モジュール５０２と結合され、終端負荷回路２０６及び送信器モジュール５０２の両方が無給電状態にある他の実施形態で、起動回路５０６は、終端負荷回路２０６が最初に起動する場合に、同じように機能してよい。
【００４７】
起動回路５０６は、終端負荷回路２０６から小さい電流を引き込み、起動電流を電流センサ／制御５１０へ供給するよう構成されてよい。起動電流は、定常状態駆動電流Ｉｄｒｖと比較して、相対的に小さい。この起動電流は、信号伝送線路ＴＸＮ及びＴＸＰが終端負荷回路２０６へ結合されるのと、又は終端負荷回路２０６がバイアス電源ＶＤＤ１から電力を受け始めるのとほぼ同時に、供給を開始されてよい。送信器モジュール５０２が完全動作状態に達した後、信号伝送線路ＴＸＮ及びＴＸＰはバイアスをかけられた状態となり、おおよそ一定の駆動電流Ｉｄｒｖがソース送信器２２０から再利用電源５０８へと流れ込む。次いで、起動回路５０６は、もはや、調整電力供給出力ＶＤＤ２ｆｒｏｍＶＲを供給するために再利用電源５０８によって必要とされず、起動回路５０６は、駆動電流Ｉｄｒｖと比較して基本的にゼロ又は無視可能な値まで起動電流を低下させてよい。
【００４８】
図６は、第２電源として回路バイアス電流を再利用するよう構成される回路６００の例を表す概略図である。回路６００は、ソース送信器２２０と、起動回路５０６と、再利用電源５０８とを有する。ソース送信器２２０は、おおよそ一定の駆動電流Ｉｄｒｖを再利用電源５０８へ供給してよい。例えば、駆動電流Ｉｄｒｖは、おおよそ、単一チャネル通信インターフェースについては１０ｍＡ、又は４チャネル通信インターフェースについては４０ｍＡであってよい。他の例として、駆動電流Ｉｄｒｖは、おおよそ、単一チャネル通信インターフェースについては２４ｍＡ、又は２チャネル通信インターフェースについては４８ｍＡであってよい。
【００４９】
再利用電源５０８は電圧制御型電流源Ｇ１及びＧ２を有する。電圧制御型電流源Ｇ１及びＧ２は、また、電流を検知するよう構成されてよい。電圧制御型電流源Ｇ１は１に比例するゲインｇｍを有し、一方、電圧制御型電流源Ｇ２はＮ−１に比例するゲインｇｍを有する。従って、電圧制御型電流源Ｇ１及びＧ２の対によって与えられるゲイン（ｇｍ）比は１：Ｎ−１である。電圧制御型電流源Ｇ１は基準電流センサ及び制御として作動してよい。
【００５０】
定電流源６０４は、電圧制御型電流源Ｇ１と結合され、電流Ｉｄｃ＝Ｉｄｒｖ／Ｎを引き込むよう構成される。シャントレギュレータ６０２は、定電流源６０４と一方の端部で結合されているシャントレギュレータ制御入力ポート（ＣＴＬ）を設けられている。定電流源６０４は、また、同じ端部で電圧制御型電流源Ｇ１とも結合されている。シャントレギュレータ制御入力ポートは、シャントレギュレータ制御入力ポートと接地との間に定電流源６０４によって供給される電圧を検知する。シャントレギュレータ６０２は、シャントレギュレータ入力ポート（ＩＮ）を通じて電圧制御型電流源Ｇ２からの電流をシャントすることによって、シャントレギュレータ入力ポートでの電圧をシャントレギュレータ制御入力ポートでの電圧と等しいように設定するよう構成される。電圧制御型電流源Ｇ２を通る電流は、電圧制御型電流源Ｇ１を通る基準電流の約Ｎ−１倍であってよい。従って、電圧制御型電流源Ｇ２を通る電流は約（Ｎ−１）・（Ｉｄｒｖ／Ｎ）であってよい。当業者には当然のことながら、様々な実施形態の意図された機能を実行する電圧制御型電流源Ｇ１及び電圧制御型電流源Ｇ２に定義されるゲインは多種多様であってよい。
【００５１】
電圧制御型電流源Ｇ１及びＧ２は、電流センサ／制御５１０、再利用電源５０８、及び／又は通信インターフェース回路５００の他の要素と任意インピーダンスＺ１、Ｚ２、Ｚ３、Ｚ４、Ｚ５、Ｚ６、Ｚ７及びＺ８を介して結合されてよい。電圧制御型電流源Ｇ１及びＧ２はＭＯＳＦＥＴ素子又はＢＪＴ素子を有してよい。幾つかの実施形態で、再利用電源５０８は、２よりも多い電圧制御型電流源Ｇ１及びＧ２により構成されてよい。
【００５２】
回路６００が定常状態に達した後、起動回路５０６がもはや十分な起動電流を供給していない場合に、駆動電流Ｉｄｒｖは、おおよそ、電圧制御型電流源Ｇ１及びＧ２を通る電流の和に等しくてよい。約（（Ｎ−１）／Ｎ）・Ｉｄｒｖである、電圧制御型電流源Ｇ２を通る電流は、電流センサ／制御５１０から電圧レギュレータ５１４へ出力されるよう利用可能であってよい。次いで、電圧レギュレータ５１４は、調整電力供給出力ＶＤＤ２ｆｒｏｍＶＲの電圧を調整してよい。次いで、調整電力供給出力ＶＤＤ２ｆｒｏｍＶＲは、調整された電圧において最大で約（（Ｎ−１）／Ｎ）・Ｉｄｒｖアンペアの電流を有する電力を送信器モジュール５０２及び関連回路５０４の回路へ供給してよい。
【００５３】
幾つかの実施形態で、昇圧器５１２は、電流センサ／制御５１０と電圧レギュレータ５１４との間に配置されてよい。昇圧器５１２は、電流センサ／制御５１０から出力される電圧、及び結果として、調整電力供給出力ＶＤＤ２ｆｒｏｍＶＲでの調整電圧Ｖｄｄ２を増大させるよう構成されてよい。昇圧器５１２は、再利用電源５０８が、電流センサ／制御５１０から出力される電圧より高い電圧にある調整電圧Ｖｄｄ２を供給することを可能にするのに有用である。
【００５４】
図７は、通信送信器回路に給電するために伝送線路バイアス回路からの電流を再利用するよう構成されるＤＣ結合通信インターフェース回路７００を表すブロック図である。ＤＣ結合通信インターフェース回路７００は、送信器モジュール７０２と、信号伝送線路ＴＸＮ及びＴＸＰと、受信器モジュール７０４とを有する。送信器モジュール７０２は、図５を参照して記載された送信器モジュール５０２の一例であってよい。送信器モジュール７０２は、ソース送信器２２０と、再利用電源５０８とを有してよい。受信器モジュール７０４は、終端負荷回路２０６と、データ回路７０６とを有してよい。データ回路７０６は、図１を参照して記載されたデータ回路１１８の一例であってよい。終端負荷回路２０６及びデータ回路７０６はいずれも、バイアス電源ＶＤＤ１から電力を受けてよい。
【００５５】
ソース送信器２２０は、データ回路７０６へ信号伝送線路ＴＸＮ及びＴＸＰを介してデータ信号を送り出すよう構成されてよい。データ回路７０６は、信号伝送線路ＴＸＮ及びＴＸＰを介してソース送信器２２０とＤＣ結合されてよい。ソース送信器２２０は、終端負荷回路２０６から約Ｉｄｒｖに等しい合成電流を引き込み、駆動電流Ｉｄｒｖを再利用電源５０８へ供給するよう構成されてよい。再利用電源５０８は、調整電力供給出力ＶＤＤ２ｆｒｏｍＶＲを送信器モジュール７０２に付随する様々な回路へ供給するよう構成されてよい。
【００５６】
図８は、通信送信器回路に給電するために伝送線路バイアス回路からの電流を再利用するよう構成されるＡＣ結合通信インターフェース回路８００を表すブロック図である。ＡＣ結合通信インターフェース回路８００は、送信器モジュール８０２と、信号伝送線路ＴＸＮ及びＴＸＰと、受信器モジュール８０４とを有する。送信器モジュール８０２は、図５を参照して記載された送信器モジュール５０２の一例であってよい。送信器モジュール８０２は、ソース送信器２２０と、終端負荷回路２０６と、再利用電源５０８とを有してよい。受信器モジュール８０４は、受信器電源ＶＤＤ３から電力を受けるよう構成されるデータ回路８０６を有してよい。データ回路８０６は、図１を参照して記載されたデータ回路１１８の一例であってよい。終端負荷回路２０６は、バイアス電源ＶＤＤ１から電力を受けるよう構成されてよい。
【００５７】
ＡＣ結合通信インターフェース回路８００は、ソース送信器２２０が信号伝送線路ＴＸＮ及びＴＸＰを介してデータ回路８０６とＡＣ結合されてよく且つ終端負荷回路２０６が送信器モジュール８０２と一体化されてよい点を除いて、ＤＣ結合通信インターフェース回路７００と同じである。
【００５８】
図９は、通信インターフェースのための回路に給電する方法の例に係るフローチャートである。通信インターフェースは、ビデオディスプレイでの表示のために、伝送線路を介して通信送信器モジュールから通信受信器モジュールへデータを送信してよい。方法において、例えば送信器モジュール３０２のような通信送信器モジュールに付随する回路は、例えば受信器モジュール３０４のような通信受信器モジュールから、例えば伝送線路１０４のような伝送線路を介して引き込まれる電流を用いて給電されてよい。通信受信器モジュールから引き込まれる電流を用いて通信送信器モジュールに付随する回路に給電することによって、通信送信器モジュールが消費する電力は全体としてより小さくなる。通信受信器モジュールから引き込まれる電流は、少なくとも伝送線路及び／又は通信インターフェース回路にバイアスをかけるために引き込まれる必要がある。少なくとも部分的に送信器モジュールに給電するよう引き込まれる電流を再利用することは、送信器モジュールに必要とされる付加的な電力の量を減らし、従って、全体の電力消費を削減する。
【００５９】
ステップ９０２で、伝送線路は、伝送線路と結合されているバイアス回路によりバイアスをかけられる。バイアス回路は、第１電源から電流を引き込むよう構成されてよい。バイアス回路は、予め設定されている公称電圧で伝送線路にバイアスをかけるよう構成されてよい。バイアス回路は、また、予め設定されている公称値の電流を伝送線路に流すよう構成されてよい。第１電源は、また、通信受信器モジュールの回路に給電するためにも使用されてよい。通信受信器モジュールの回路は、また、伝送線路と結合されてよい。
【００６０】
ステップ９０４で、第１電源からの電流はバイアス回路を通じてシンクされる。電流レギュレータを有する回路が電流をシンクするために使用されてよい。電流レギュレータは、第１電源からバイアス回路を通じてシンクされる電流をおおよそ一定であるように調整するよう構成されてよい。電流をシンクするために使用される回路は、第２電源の電圧を調整するよう構成される電圧レギュレータを更に有してよい。
【００６１】
ステップ９０６で、第２電源の電圧はおおよそ一定であるよう調整される。第２電源は、第２電源の電圧を調整するとともに、ステップ９０４でシンクされた電流の少なくとも一部を受けるよう構成される電圧レギュレータを有してよい。
【００６２】
ステップ９０８で、ステップ９０４で第１電源からシンクされた電流の少なくとも一部は、第２電源を介して通信送信器モジュールに付随する回路へ供給される。ステップ９０６で記載される電圧レギュレータは、ステップ９０４でシンクされた電流の少なくとも一部を、第２電源によって給電されるよう構成される通信送信器モジュールに付随する回路へ供給してよい。通信送信器モジュールに付随する回路へ供給される電流は、通信送信器モジュールに給電するために使用されてよい。
【００６３】
通信送信器モジュールに付随する回路は、第２電源及び第３電源からの電力の組合せによって給電されるよう構成されてよい。例えば、通信送信器モジュールに付随する回路は、第２電源が供給することができるよりも大きな電力を必要とすることがある。第２電源及び第３電源の組合せから電力を受けることによって、通信送信器モジュールに付随する回路は、第３電源のみが通信送信器モジュールに付随する回路に給電した場合に比べて全体として消費電力が少ない。
【００６４】
本願では、幾つかの実施形態が、具体的に図示及び／又は記載をされている。しかし、当然、改良及び変形が、添付の特許請求の範囲により定まる技術的範囲を逸脱することなく、上記の教示によって、特許請求の範囲の技術的範囲内でカバーされる。例えば、本発明の実施形態は、データ通信システム以外の他の応用において、おおよそ特定の電圧値で電圧ノードにバイアスをかけるためにも使用される電流を用いて電子回路に給電するために使用されてよい。本発明の実施形態は、集積回路（ＩＣ）、システムオンチップ（ＳＯＣ）、又はチップオンボード（ＣＯＢ）に給電するために使用されてよい。また、本発明の実施形態は、他の電子回路と結合される回路素子（例えば、抵抗）の両端で電圧降下を生じさせるためにも使用される電流を用いて電子回路に給電するために使用されてよい。幾つかの実施形態で、アナログ信号が、デジタル信号に加えて又はそれに代えて、送信器と受信器との間で伝送線路を介してやり取りされてよい。
【００６５】
本願で論じられている実施形態は、本発明の例示である。本発明のこれらの実施形態が例示を参照して記載される場合に、記載される方法及び／又は特定の構造の様々な改良又は適応は当業者に明らかとなる。本発明の教示に依存し且つこれらの教示を当該技術で発展させるこのような改良、適応、又は変形の全ては、本発明の技術的範囲内にあると考えられる。従って、当然に、本発明は、少しも、表される実施形態にのみ限定されないので、これらの明細書及び図面は限定的観点で考えられるべきではない。
【図１】
0005393689.tif 000002
【図２】
0005393689.tif 000003
【図３】
0005393689.tif 000004
【図４】
0005393689.tif 000005
【図５】
0005393689.tif 000006
【図６】
0005393689.tif 000007
【図７】
0005393689.tif 000008
【図８】
0005393689.tif 000009
【図９】
0005393689.tif 000010